(57)【要約】      （修正有）【課題】スポーツの練習に適合するヘッドセットを提供する。【解決手段】ヘッドセット１０は、ユーザの耳道Ｏの内部または付近に導入されるように適合された２つのイヤホン１２を備える。イヤホン１２は、ヘッドセットのユーザの頭部の頂部Ｓ上で静止する中央バンド１４と、バンドを延長する２つの側方枝部1６とを含む接続要素により接続されている。バンドの各々は、基端１８における中央バンドとの関節接続部２０と、先端２２における各イヤホンとの変形可能な接続部２４と、中間領域３６において電気または電子構成要素を収容し、ヘッドセットのユーザのこめかみ領域Ｔと接触するように適合された支持面４８がヘッドセットの内側面にユーザの頭部に向けて方向付けられて設けられているケース４０と、を含む。【選択図】図１
2016123085.tif 000002
【特許請求の範囲】
【請求項１】
ヘッドセットのユーザの各耳道の内部または付近に導入されるように適合された耳栓タイプまたはイントラコンカタイプの２つのイヤホン（１２）と、
電気または電子構成要素を収容するケースと、
前記ヘッドセットのユーザの頭部の周囲に位置決めされるように適合された接続要素と、
を備え、
前記接続要素は、
前記ユーザの頭部との第１の接触点（Ｓ）を形成するように、前記ヘッドセットのユーザの頭部の頂部上で静止するように適合された中央バンド（１４）と、
その端部の各々で前記中央バンドを延長する２つの側方枝部（１６）と、を有し、
当該枝部の各々は、
前記枝部の基端（１８）における前記中央バンドの各端部との関節接続部（２０）であって、当該接続部が前記ヘッドセットの全体的な平面に対して垂直な軸（Δ）の回りの少なくとも１つの枢動自由度を提供する、間接接続部（２０）と、
前記枝部の先端（２２）における各イヤホンとの変形可能な接続部（２４）であって、これにより、前記イヤホンが前記耳道に各第２および第３の接触点（Ｏ）を形成する、変形可能な接続部（２４）と、
前記枝部の中間領域（３６）において前記電気または電子構成要素（５０、５２）を収容する前記ケース（４０）であって、当該ケースには、前記ヘッドセットのユーザのこめかみ領域と接触するように適合された支持面（４８）が、前記ヘッドセットの内側面に、前記ユーザの頭部に向けて方向付けられて設けられており、これにより、前記支持面が前記こめかみに各第４および第５の接触点（Ｔ）を形成する、ケース（４０）と、を含む
ことを特徴とするオーディオヘッドセット（１０）。
【請求項２】
前記支持面（４８）は、柔軟な付加物（４６）が設けられた平面である、請求項１に記載のヘッドセット。
【請求項３】
前記中央バンド（１４、３０）は、可撓性バンドであり、前記ヘッドセットの前記全体的な平面における少なくとも１つの曲げ自由度に応じて弾性的に変形可能である、請求項１に記載のヘッドセット。
【請求項４】
前記中央バンドへの前記枝部の前記関節接続部により提供される前記自由度は、前記枝部および前記ケースが前記２つの関節接続部を結び合わせる線の同じ側に本質的に配置された状態で、前記中央バンドに対する前記枝部の完全な折畳みを許容するのに十分な角度変位を有する、請求項１に記載のヘッドセット。
【請求項５】
前記ケース（４０）は、前記枝部の前記中間領域（３６）の最基部（３８）の側に配置されている、請求項４に記載のヘッドセット。
【請求項６】
前記ケース（４０）は、前記枝部の前記中間領域（３６）とは別個のケースであり、前記枝部の前記内側上で前記枝部に固定されている（４４）、請求項１に記載のヘッドセット。
【請求項７】
前記枝部は、前記中央バンドを前記イヤホンから離す距離を修正するように適合されたサイズ調整用の伸縮要素（３２、３４）をさらに含む、請求項１に記載のヘッドセット。
【請求項８】
前記サイズ調整用の伸縮要素（３２、３４）は、前記中央バンドへの前記枝部の前記接続部（２０）の付近に配置されている、請求項７に記載のヘッドセット。
【請求項９】
前記中央バンドへの前記枝部の前記関節接続部（２０）は、前記ヘッドセットの前記内側に向けて、前記ユーザのこめかみに向けて方向付けられた方向に、前記枝部を弾性的に押すように適合されたばねクランプ要素を含む、請求項１に記載のヘッドセット。
【請求項１０】
その前記中間領域において枝部に組み込まれている少なくとも１つのマイクロホン（５４）をさらに備えた、請求項１に記載のヘッドセット。
【請求項１１】
前記枝部の前記先端に開口しているレセプタクルを有する、枝部に組み込まれた少なくとも１つのコネクタ（５６）をさらに備え、当該レセプタクルの軸は前記枝部の全体的な方向に連続している、請求項１に記載のヘッドセット。
【発明の詳細な説明】
【技術分野】
【０００１】
本発明はオーディオヘッドセットに関し、特にスポーツの練習に適合されているモデルに関する。
【背景技術】
【０００２】
オーディオヘッドセットは、頭部の上方または頭部の背後のいずれかを通る（したがって後頭領域を取り巻いている）ことにより、ヘッドセットのユーザの頭部の周囲に配置された接続要素により接続されている２つのイヤホンを含む。
【０００３】
そのようなタイプのヘッドセットは、具体的にはＧｅｏｆｆ  Ｇａｓｉｏｒ  「Ｔｈｅ  Ｓｗｅｅｔ  Ｓｏｕｎｄ  ｏｆ  Ｋｏｓｓ’  ＰｏｒｔａＰｒｏ  Ｈｅａｄｐｈｏｎｅｓ」、Ｔｈｅ  Ｔｅｃｈ  Ｒｅｐｏｒｔ−Ｔｅｃｈｎｏｌｏｇｉｃａｌ  Ｄｉｓｓｏｎａｎｃｅ、２０１０年７月１５日、ＸＰ０５５２０３８８５の記事に詳細に記載されている。
【０００４】
さらに、当該ヘッドセットのバンドは関節接合された枝部を含み、コンパクトな折畳み形態でその保管を可能にする。また、バンドは、こめかみ領域上で静止し、バンドの金属ブレードのクランプ作用力の一部を吸収し、したがって着用者の耳介の上部上にあるイヤホンの過剰な静止力に起因する不快を回避することを許容するように意図されているパッドを含む。
【０００５】
スポーツの練習の場合、最大の問題は、スポーツの練習に含まれる動き、跳躍、または他の度重なる負荷に関わらず、ユーザの頭部上にヘッドセットを適切に保持することである。
【０００６】
この問題は、ヘッドセットに（Ｂｌｕｅｔｏｏｔｈタイプ等の）無線リンクおよび／または周囲ノイズの能動的低減（ＡＮＣ：Ａｃｔｉｖｅ  Ｎｏｉｓｅ  Ｃｏｎｔｒｏｌ、アクティブノイズコントロール）のための回路、生体情報検出処理回路等のデジタル処理回路を設けることが所望される場合、特に重要になる。ヘッドセットは、次いで、音響変換器ばかりでなく、能動構成要素および受動構成要素を支持している１つまたはいくつかのプリント基板と、センサ（マイクロホン、加速度計等）と、当然これら種々の回路およびセンサの電力供給用の再充電可能な電池またはセルと、適切な接続装置と、を支持しなければならない。
【０００７】
一般にユーザの頭部上でのヘッドセットの適切な保持に不適合な、ヘッドセットの重量および体積の増大は、そのことに起因する。
【０００８】
それが、スポーツの練習に関して、ユーザが大抵の場合、耳での良好な保持を確実にし、軽くかつ心地よい耳栓タイプ（またはイントラコンカタイプ）のイヤホンを選択する理由である。
【０００９】
付加的回路、例えば無線リンク回路、を備えたそのような耳栓タイプのイヤホンを提供することが所望される場合、通常存続している解決策は、耳掛けタイプのシルバー世代の補聴器のように、イヤホンを延長しかつ耳の耳介から外へ突出しているケース内にこれらの要素全てを収容することにある。
【００１０】
そのような解決策は、例えば、各々が「耳掛け」ケースに関連する２つの耳栓型イヤホンを提供するＵＳ２０１４／０３０７８９１Ａ１に記載されており、２つの右ケースと左ケースとは、ペンダントケーブルにより機械的かつ電気的に接続されている。
【００１１】
耳栓タイプのイヤホンに関連するケースは、例えばＵＳＤ４６９０８１Ｓに記載されている通り、通信機能のためのマイクロホン（詳細には「ハンズフリー」テレフォニ）もその中に収納することが所望される場合、口の方へ延長される可能性があり得る。
【００１２】
しかし、当該セットは重くかつ不快になり、スポーツの練習中の長時間の使用を妨げる。
【００１３】
例えばＵＳ２０１４／０２０５１０８Ａ１に記載されている別の解決策は、電子回路および電池を、ユーザの首の周囲に装着されているケースへオフセットすることにある。もはやイヤホンに保持または快適さの問題はないが、例えばユーザが走っている時にオフセットされたケースにより生じる不快を回避するために、ケースがランナーを妨害しないように、クランプ、アームバンド、または別の保持手段をそれに付加する必要がある。
【００１４】
それらの問題は、無線通信回路ばかりでなく、周囲ノイズの能動的低減のためのＡＮＣ回路も備えたヘッドセットを提供することが所望される場合、さらにより制約的である。それらの回路は、実際、嵩張りかつ重く、それらの回路により実行されるデジタルプロセッサ（単数または複数）の消費を考慮して、数時間でも自律性を確実にするより一層強力な電池を必要とする。
【００１５】
例えばＥＰ２５９７８８９Ａ１（Ｐａｒｒｏｔ）に記載されている通り、それが、ＡＮＣヘッドセットが、事実上、常に、サーカムオーラルタイプのまたはスープラオーラルタイプの（すなわち耳を完全に取り巻いている付加物を備えた、または耳の耳介の外形上に配置されている）ヘッドセットである理由である。
【００１６】
それらのヘッドセットは、イヤホンの体積および質量、それに加えて運動中に生じる様々な動きに抵抗する、ユーザの頭部上での不十分な保持に因り、スポーツの練習に適合されていない。さらに、突然の負荷がない場合にも、耳に当接してまたは耳の周囲に付けられているイヤホンは、耳の耳介の通気の欠如に因り、スポーツの練習中かつ／または熱または長時間の着用の場合に、不快であることがすぐに判明する。
【００１７】
耳栓タイプのイヤホンを用いた解決策は、具体的にはスポーツの練習のために保持され得る唯一の方法である。
【発明の概要】
【００１８】
したがって、本発明の問題は、快適さおよび保持をそれにより譲歩する必要なく、（快適さおよび保持の観点から、スポーツマン／スポーツウーマンに関してそれら自体を証明している）耳栓タイプまたはイントラコンカタイプのイヤホンに、嵩張り重くても電子回路、およびそれらの電力供給に必要とされるセルまたは電池を付加することである。
【００１９】
強度なかつ長時間のスポーツの練習における受容性の制約は、詳細には以下の通りである。すなわち、
−  ユーザにとって不快がなく、スポーツの練習中に支持可能であるように十分に軽い構造、
−  各ユーザの個々の頭部形態への容易な適合、
−  長時間の着用の場合および身体活動の練習でも優れた快適さの確実性、および
−  特にスポーツの練習中のユーザの頭部上でのヘッドセットの定位置における効率的な保持および完全な安定性の保証。
【００２０】
本発明は、その目的のために、それ自体既知の方法で、ヘッドセットのユーザの各耳道の内部または付近に導入されるように適合された耳栓タイプまたはイントラコンカタイプの２つのイヤホンと、電気または電子構成要素を収容するケースと、ヘッドセットのユーザの頭部の周囲に位置決めされるように適合された接続要素と、を含むオーディオヘッドセットを提案する。
【００２１】
本発明の特徴として、接続要素は、ユーザの頭部との第１の接触点を形成するように、ヘッドセットのユーザの頭部の頂部上で静止するように適合された中央バンドと、その端部の各々で中央バンドを延長する２つの側方枝部とを含む。これら枝部の各々は、枝部の基端における中央バンドの各端部との関節接続部であって、当該接続部は、ヘッドセットの全体的な平面に対して垂直な軸の周りの少なくとも１つの枢動自由度を提供する、関節接続部と、枝部の先端における各イヤホンとの変形可能な接続部であって、これにより、イヤホンが耳道に各第２および第３の接触点を形成する、変形可能な接続部と、枝部の中間領域において電気または電子構成要素を収容するケースであって、当該ケースには、ヘッドセットユーザのこめかみ領域と接触するように適合された支持面がヘッドセットの内側面にユーザの頭部に向けて方向付けられて設けられており、これにより、支持面はこめかみに各第４および第５接触点を形成する、ケースと、を含む。
【００２２】
種々の有利な補助的特徴によれば、
−  支持面は、柔軟な付加物が設けられた平面である、
−  中央バンドは、可撓性バンドであり、ヘッドセットの全体的な平面における少なくとも１つの曲げ自由度に応じて弾性的に変形可能である、
−  中央バンドへの枝部の関節接続部により提供される自由度は、枝部とケースとが２つの関節接続部を結び合わせる線の同じ側に本質的に配置された状態で、特に、ケースが枝部の中間領域の最基部の側に配置された状態で、中央バンドに対する枝部の完全な折畳みを許容するのに十分な角度変位を有している、
−  ケースは、枝部の中間領域とは別個のケースであり、枝部の内側上で枝部に固定されている、
−  枝部は、中央バンドをイヤホンから離す距離を修正するように適合されたサイズ調整用の伸縮要素をさらに含み、特に、この伸縮要素は、中央バンドへの枝部の前記接続部の付近に配置されている、
−  中央バンドへの枝部の関節接続部は、ヘッドセットの内側に向けて、ユーザのこめかみに向けて方向付けられた方向に、枝部を弾性的に押すように適合されたばねクランプ要素を含む、
−  ヘッドセットは、その中間領域において枝部に組み込まれている少なくとも１つのマイクロホンと、枝部の先端に開口しているレセプタクルを有する、枝部に組み込まれたコネクタとを含み、このレセプタクルの軸は枝部の全体的な方向に連続している。
【００２３】
ここで、本発明のユニットの実施の例が、図を通じて同じ参照番号が同一要素または機能的に同様の要素を示す添付図面を参照して、説明されよう。
【図面の簡単な説明】
【００２４】
【図１】本発明によるヘッドセットの例示的実施形態の斜視図である。
【図２】図１のヘッドセットの側面図である。
【図３】ユーザの頭部上に位置決めする前に延長位置にある、図１のヘッドセットの正面図である。
【図４】保管および運搬のために折畳み位置にある、図１のヘッドセットの正面図である。
【図５】電子回路および電池を含有するケースの内容物を示す、分解斜視図である。
【図６】ヘッドセット側方枝部の端部により支持されているイヤホンへのこの端部の接続部の拡大詳細図である。
【発明を実施するための形態】
【００２５】
図では、参照番号１０は、全般的に、中央バンド１４と２つの枝部１６とを含む接続要素により互いに接続されている２つのイヤホン１２を含む、本発明によるヘッドセットの例示的実施形態を示す。
【００２６】
イヤホン１２は既知のタイプであり、（図に示されている例の場合のように）「耳栓タイプ」または「イントラコンカタイプ」と呼ばれる。耳栓タイプのイヤホンは、耳道内に侵入する管を含むものであり、この管は耳におけるイヤホンの機械的保持を確実にし、一方、イントラコンカタイプのイヤホンは、耳道の開口部にある外耳の中央凹部（下甲介）の領域内に配置されることが意図されている。
【００２７】
それらのイヤホン１２を備えた２つの枝部１６は、互いに類似しており、対称である。各１つは、その基端１８において中央バンド１４に関節接続されている接続部２０を含む。この関節接続部２０は、ヘッドセットの全体的な平面に対して垂直な軸Δの回りの少なくとも１つの枢動自由度を提供する。さらに、関節接続部は、有利には、耳に対するイヤホンの結合を向上させるために、ユーザのこめかみおよび耳に向けて当該枝部およびしたがってイヤホンを押すように、ヘッドセットの内側に向けて枝部１６を弾性的に押すことを許容するばねクランプ要素を含む。
【００２８】
先端側２２において、枝部１６は、イヤホン１２を枝部に対して可動性（矢印２６）にして、イヤホンの突出先端部２８の耳道内への導入および保持を容易にするように、変形可能な接続部２４、例えば（図６参照）枝部１６の端部とイヤホン１２の基部との間の軟質材料の被覆成形、によりイヤホン２２に接続されている。本発明は、耳道内に導入された突出先端部２８に因る周囲ノイズに対する隔離の増大をもたらす耳栓タイプのイヤホン１２を用いて実施されることが好ましいことが分かるであろう。この先端部２８には、例えばシリコーンまたは泡状体で作製されている変形部（図示せず）がさらに設けられており、耳とのより良好な結合およびしたがってより良好な受動的隔離を確実にする。
【００２９】
中央バンド１４は、例えば中央バンド１４の材料内に埋め込まれている弾性金属板３０のおかげで、屈曲作用で、すなわちヘッドセットの全体的な平面（図３の場合の図の平面）にとどまることにより、変形可能である。この可撓性は、よくある頭蓋直径の殆どにヘッドセットを容易に適合させることを許容する。
【００３０】
また、様々なユーザの形態の適合を許容するために、関節接続部２０の付近に伸縮要素３２が設けられており、よくある頭蓋高（ｓｋｕｌｌ  ｈｅｉｇｈｔ）の殆どに合うように、通常は最大延長４０ｍｍまで、関節接続部２０をイヤホン１２から離す距離（図３において３４が付されている）を変えることを許容している。
【００３１】
他方で、枝部１６の中間領域３６は、以下に説明されるいくつかの機能を実現するケース４０を支持する。
【００３２】
有利には、ケース４０は、中間領域３６の最基部３８に配置されており、それにより、詳細にはヘッドセットの保管および運搬のためにヘッドセットをそれ自体の上に折り畳むことが可能になる。
【００３３】
この折畳み位置は図４に詳細に示されており、伸縮要素３２は最小延長の位置に配置されており、２つのイヤホン１２が間隔を空けて場所を占めることができるように、２つのケース４０間に十分な余地がある。この完全な折畳み位置では、ヘッドセットの嵩張る要素全て、主に２つのケース４０および２つのイヤホン１２が、本質的に中央バンド１４の両側上の２つの関節接続部２０を結び合わせる線の同じ側に配置され、したがって最大限の小型性を確実にすることが観察される。
【００３４】
図５に詳細に示されている通り、各ケース４０は、要素４４により枝部１６に接続されている本体４２で構成されており、その結果、ケース４０はヘッドセットの内側に向かって、ユーザのこめかみに向けて若干突出している可能性がある。しかし、変形例として、より一体化された形態としての、ケース４０を含むより厚い枝部が設けられることが可能であろう。
【００３５】
本体４２は、支持面４８を形成する付加物、例えば３つの機能：
−  ユーザの頭部とのより良好な接触、発泡体の変形はユーザのこめかみの外形に一致することを可能にする；
−  ヘッドセット−こめかみの接触のための快適な要素；
−  特にスポーツの練習中の突然の動きに対抗して、より良好な安定性のための滑りに対する抵抗；
を実現する発泡体付加物が設けられた蓋部４６により閉鎖されている。
【００３６】
ケース４０は、種々の電気および電子要素、例えばケースの一方の中における１つまたはいくつかのプリント基板５０と、他方のケース内における充電池５２と、を含有し、２つのケースは、中央バンド３０を貫通して通っている電気的接続（図示せず）を介して接続されている。
【００３７】
電気回路５０は、枝部１６により支持されている種々のセンサおよび／もしくは電気部材、例えば（「ハンズフリー」テレフォニ機能および／もしくは周囲ノイズレベルの感知によるＡＮＣ機能のための）１つもしくはいくつかのマイクロホンセンサ５４、あるいはその軸が枝部の全体的な方向に連続している状態で、枝部の端部に開口しているレセプタクル５６を備えた電気コネクタ、に接続され得る。
【００３８】
説明されたヘッドセットの構成の特異な点は、ユーザの頭部との５つの接触点、すなわち図１に示されている通り、
−  中央バンド１４が頭蓋骨の頂部と接触している点Ｓ、
−  ケース４０の支持面４８がこめかみ領域または頭頂こめかみ領域内の頭蓋骨の側部と接触している２つの点Ｔ、および
−  イヤホン１２が、先端部２８が挿入されている耳道と接触している２つの点Ｏ、
を有することである。
【００３９】
したがって、本発明の特徴として、ｉ）特にスポーツ活動の練習中に、ヘッドセットの完全な安定性を保証すること、ｉｉ）（５つの接触点の限定された例外を除いて）耳の耳介およびユーザの頭部の主要部が、特に汗の排出を許容するように通気及び換気されたままであるため、長時間の着用中かつ／または相対的に高温の雰囲気においても、非常に良好な快適性を確実にすること、の両方を行う「頭部−こめかみ−耳」タイプの保持が得られる。
【図１】
2016123085.tif 000003
【図２】
2016123085.tif 000004
【図３】
2016123085.tif 000005
【図４】
2016123085.tif 000006
【図５】
2016123085.tif 000007
【図６】
2016123085.tif 000008
【外国語明細書】
2016123085000001.pdf